(57)【特許請求の範囲】
【請求項１】
ＩＴＵ−Ｔ勧告Ｔ３０に基く通信手順信号を用いて画像通信を行なうファクシミリ装置において、
所定の通信フェーズにおいて、初期識別信号に対する相手局の応答状態に応じてファクシミリ情報フィールドのバイト数を変更した初期識別信号を相手装置に送信する制御手段を設けたことを特徴とするファクシミリ装置。
【請求項２】
前記初期識別信号がＤＩＳ信号であることを特徴とする請求項１に記載のファクシミリ装置。
【請求項３】
ファクシミリ情報フィールドがＡバイトの前記初期識別信号を送信し相手装置からの有効な応答信号を検出できないことがＣ回連続した場合、ファクシミリ情報フィールドがＢ（Ａ＞Ｂ）バイトの前記初期識別信号を送信することを特徴とする請求項１に記載のファクシミリ装置。
【請求項４】
前記バイト数Ａが１０、前記バイト数Ｂが４、前記回数Ｃが２であることを特徴とする請求項１に記載のファクシミリ装置。
【請求項５】
所定の通信フェーズにおいて、初期識別信号に対する相手局の応答状態に応じてファクシミリ情報フィールドのバイト数を変更した初期識別信号を相手装置に送信した場合、後続の通信フェーズにおける手順においては変更後のバイト数のファクシミリ情報フィールドを有する初期識別信号を相手装置に送信することを特徴とするファクシミリ装置。
【発明の詳細な説明】
【０００１】
【発明の属する技術分野】
本発明はファクシミリ装置に関し、特にＩＴＵ−Ｔ勧告Ｔ３０に基く通信手順信号を用いて画像通信を行なうファクシミリ装置に関するものである。
【０００２】
【従来の技術】
従来より、ファクシミリ装置では、ＩＴＵ−Ｔ勧告Ｔ３０に基く通信手順が用いられている。ＩＴＵ−Ｔ勧告Ｔ３０準拠の手順で用いられるＤＩＳ（デジタル識別）信号のＦＩＦ（ファクシミリ情報フィールド）はＨＤＬＣフレーム構成であり、基本的には可変長に構成可能であるが、実際には従来では固定サイズ（４バイト）を前提とした使い方がされており、ＦＩＦのサイズは一定とみなしてよかったため、従来のファクシミリ装置はＤＩＳ信号のＦＩＦのサイズが固定サイズであることを期待した構成となっているものが多い。
【０００３】
ところが、最近では装置の高機能化に伴なって、ＤＩＳ信号のＦＩＦのサイズを１０バイト程度に拡張して用いる装置も知られており、この種の装置では旧来の装置で用いられているＤＩＳ信号よりもＦＩＦのサイズが大きくなっている。
【０００４】
【発明が解決しようとする課題】
したがって、ＤＩＳ信号のＦＩＦのサイズが固定サイズであることを前提とした古いファクシミリ装置では、最近のＤＩＳ信号のＦＩＦの拡張に対応できないために、上記のような拡張されたＦＩＦを有するＤＩＳ信号を受信してもファクシミリ通信が行なえなくなる。
【０００５】
そこで本発明の課題は、この種のファクシミリ装置において、相手局が前提とする初期識別信号のＦＩＦのサイズにかかわらず通信を行なえるようにすることにある。
【０００６】
【課題を解決するための手段】
上記の課題を解決するため、本発明によれば、ＩＴＵ−Ｔ勧告Ｔ３０に基く通信手順信号を用いて画像通信を行なうファクシミリ装置において、所定の通信フェーズにおいて、初期識別信号に対する相手局の応答状態に応じてファクシミリ情報フィールドのバイト数を変更した初期識別信号を相手装置に送信する制御手段を設けた構成を採用した。
【０００７】
【発明の実施の形態】
以下、図を参照して本発明の実施の形態を説明する。
【０００８】
［第１実施形態］
図１は、本発明を採用したファクシミリ装置の構成の一例を示しており、ここでは２回線を収容しているファクシミリ装置が図示されている。
【０００９】
図１において、符号２は、ＮＣＵ（網制御装置）で、電話網をデータ通信等に使用するために、回線２ａに接続され、電話交換網の接続制御、データ通信路への切換え、ループの保持を行なう。ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常（待機）状態では、電話回線２ａは電話機４側に接続されている。
【００１０】
符号６はハイブリッド回路で、送信系の信号と受信系の信号とを分離し、加算回路１２からの送信信号をＮＣＵ２経由で電話回線２ａに送出し、相手側からの信号をＮＣＵ２経由で受取り、信号線６ａ経由で変復調器８に送る。
【００１１】
符号８は変復調器であり、ＩＴＵ−Ｔ勧告Ｖ．８、Ｖ．２１、Ｖ．２７ｔｅｒ、Ｖ．２９、Ｖ．１７、およびＶ．３４に基づいた変調、及び復調を行う変復調器であり、信号線２０ｃによりこれら各伝送モードの指定を受け付ける。変復調器８は信号線２０ｂに出力されている信号を入力し、変調データを信号線８ａに出力し、信号線６ａに出力されている受信信号を入力し、復調データを信号線８ｂに出力する。
【００１２】
符号１０は、ＡＮＳａｍ信号を送信する回路であり、信号線２０ｄに信号レベル「１」の信号が出力されているときには、信号線１０ａにＡＮＳａｍ信号を送出し、信号線２０ｄに信号レベル「０」の信号が出力されているときには、信号線１０ａには何も信号を出力しない。
【００１３】
符号１２は加算回路であり、信号線８ａの情報と信号線１０ａの情報を入力し、加算した結果を信号線１２ａに出力する。
【００１４】
符号１４は画像データの読取回路であり、原稿搬送系、光学読み取り素子などから成る公知の構成を有し、読取られた画像データは信号線１４ａに出力される。
【００１５】
符号１６は画像データを記録する記録回路であり、電子写真方式、インクジェット方式などの各種の記録方式により構成される。ここでは記録回路１６は、信号線２０ｅに出力されている情報を順次１ライン毎にビットイメージに変換して記録するものとする。
【００１６】
符号１８はメモリ回路であり、画像情報の記憶に主に用いられ、読取り画像データの生情報、あるいは符号化した画像情報を格納したり、また、生の受信画像情報、あるいは復号化した画像情報等を格納するために使用される。
【００１７】
符号２０はマイクロプロセッサ、メモリなどから構成された制御回路であり、装置全体の動作を制御する。制御回路２０は、内部のＲＯＭなどのメモリ、あるいはメモリ回路１８のＲＯＭ部などに格納された後述のプログラムに基づき装置全体の動作を制御する。
【００１８】
制御回路２０はＩＴＵ−Ｔ勧告Ｔ３０に基くファクシミリ通信手順を実行するものとし、制御回路２０は次のような制御を行なう。まず、ＦＩＦの長さがＡ（たとえば１０バイト）であるＤＩＳ信号を含む初期識別信号を送信し、相手からの有効応答信号を受信できないことが所定回数Ｃ（たとえば２回）連続したとき、ＦＩＦの長さが所定バイト数Ｂ（たとえば４バイト）であるＤＩＳ信号を含む初期識別信号を送信する。このＤＩＳ信号のＦＩＦの制御は、複数ページの受信においてページ間で行われる中間手順（たとえばＥＯＭ信号を受信した場合）においてもほぼ同様に行なう。
【００１９】
制御回路２０は、以下に示す通信手順でタイマ（Ｔ１〜）やカウンタ（ＤＩＳＣＮＴ）を用いるが、これらのタイマやカウンタ（図１の２０ｆ）はハードウェア的に構成してもよいし、制御回路２０のソフトウェアにより構成してもよい。このようなタイマやカウンタの実装については公知であり、ここでは詳細な説明は省略する。
【００２０】
以下、上記構成における動作につき図２〜図６を参照して詳細に説明する。図２〜図６は制御回路２０の行なう通信制御の流れを示している。図示の手順は、制御回路２０のプログラムとして制御回路２０内部のＲＯＭなどのメモリ、あるいはメモリ回路１８のＲＯＭ部などに格納される。図２〜図６の同一番号を付した部分はそれぞれ互いに連続しているものとする。
【００２１】
図２において、ステップＳ０は、電源投入やリセットに基づく処理の開始を示し、まず、ステップＳ２では、ＮＣＵ２のＣＭＬリレーをオフする。これにより回線２ａは電話機４に接続される。
【００２２】
ステップＳ６では、信号線２０ｄに信号レベル「０」の信号を出力し、ＡＮＳａｍ信号を送信しないように設定する。
【００２３】
ステップＳ６では、受信が選択されたか否かが判定される。受信が選択された場合にはステップＳ１２に、選択されていなければステップＳ８に移行する。ステップＳ６の受信選択は、手動操作により、着信後、スタートボタン押下などにより受信開始が指令された場合などに生じる。
【００２４】
ステップＳ８では、着信が選択されたか否かが判定される。着信が選択された場合には、ステップＳ１２に、着信が選択されていない場合にはステップＳ１０に移行する。この着信選択は、通常、自動着信モードにおいて呼出信号を受信することなどにより行なわれる。
【００２５】
ステップＳ１０ではその他の処理、たとえば公知の画像送信動作や原稿コピー動作などが行なわれる。
【００２６】
ステップＳ１２では信号線２０ａに信号レベル「１」を出力し、ＮＣＵ２０のＣＭＬリレーをＯＮとし、回線２ａをハイブリッド回路６側に接続する。
【００２７】
ステップＳ１４では、タイマＴ１に３５秒（初期識別期間）をセットする。
【００２８】
ステップＳ１６では、カウンタＤＩＳＣＮＴをクリアする。このカウンタＤＩＳＣＮＴは初期識別期間においてＦＩＦが１０バイトのＤＩＳ信号を何回送信したかを計数する。
【００２９】
ステップＳ１８では、勧告Ｖ．２１（３００ｂｐｓ）のＮＳＦ／ＣＳＩ／ＤＩＳ信号の送信を示している。ステップＳ１８で送信するＤＩＳ信号のＦＩＦのバイト数は１０バイトとする。手順信号の送受信は変復調器８を介して行なわれる。
【００３０】
ステップＳ１９では、これに応じてカウンタＤＩＳＣＮＴの値を１インクリメントする。
【００３１】
ステップＳ２０（図３）では、装置が手動モードであるか否かが判定され、手動モードならステップＳ２２に手動モードでなければステップＳ２４に移行する。
【００３２】
ステップＳ２２では、タイマＴ４に４．５秒をセットし、ステップＳ２４では３秒をセットする。
【００３３】
ステップＳ２６、Ｓ２８、Ｓ３０はタイマＴ４の長さのループを示し、ステップＳ２６では勧告Ｖ．２１のＮＳＣ／ＣＩＧ／ＤＴＣ信号を、また、ステップＳ２８ではＮＳＳ／ＴＳＩ／ＤＣＳ信号を受信したか否かがそれぞれ判定される。
【００３４】
勧告Ｖ．２１のＮＳＣ／ＣＩＧ／ＤＴＣ信号を受信した場合にはステップＳ３２に、ＮＳＳ／ＴＳＩ／ＤＣＳ信号を受信した場合にはステップＳ４６（図４）に移行する。これらの信号の受信はステップＳ３０でタイマＴ４がタイムオーバーするまで実行され、タイマＴ４がタイムオーバーするとステップＳ３８に移行する。
【００３５】
ステップＳ３２、Ｓ３４、Ｓ３６では、ＮＳＣ／ＣＩＧ／ＤＴＣ信号の受信に応答して前手順の残りの部分、ポーリングによる画像送信、および後手順を実行する。
【００３６】
ステップＳ３８ではタイマＴ１の初期識別期間の終了を判定し、初期識別期間が終了していればステップＳ４０に進みエラー処理を実行し、初期識別期間が終了していなければステップＳ４２（図４）に移行する。
【００３７】
ステップＳ４２ではカウンタＤＩＳＣＮＴの値が２以上であるか否かが判断され、カウンタＤＩＳＣＮＴが２以上であれば、ステップＳ４４に進み、２未満ならばステップＳ１８に戻る。
【００３８】
カウンタＤＩＳＣＮＴが２以上の場合、最初に送信した１０バイトのＦＩＦのＤＩＳ信号が相手に認識されていないと判断すべきであるので、ステップＳ４４では、勧告Ｖ．２１のＮＳＦ／ＣＳＩ／ＤＩＳ信号の送信を行なう。このステップＳ４４では、ＤＩＳ信号のＦＩＦの長さは４バイトとし、旧来のＤＩＳ信号のフォーマットを用いるものとする。
【００３９】
ステップＳ２８でＮＳＳ／ＴＳＩ／ＤＣＳ信号を受信した場合、ステップＳ４６において、前手順の残りの部分を実行し、ステップＳ４８において画像受信、記録回路１６による画像記録、および後手順を実行する。
【００４０】
ステップＳ５０では、１ページの画像受信が終了したか否かを判断し、１ページの画像受信が終了した場合にはステップＳ５２へ、１ページの画像受信が終了していなければステップＳ４８に戻り、画像受信、記録を繰り返す。
【００４１】
ステップＳ５２ではタイマＴ２に６秒をセットし、ステップＳ５４（図５）に移行する。
【００４２】
ステップＳ５４、Ｓ５６、Ｓ５８、Ｓ６０は、タイマＴ２による６秒のループを示し、ステップＳ５４では勧告Ｖ．２１のＭＰＳ（マルチページ）信号を、ステップＳ５６では勧告Ｖ．２１のＥＯＰ（手順終了）信号を、ステップＳ５８では勧告Ｖ．２１のＥＯＭ（メッセージ終了）信号をそれぞれ検出する。ステップＳ６０でタイマＴ２の６秒の計時が終了した場合には、ページとページの間で所期の手順信号を受信できなかったことになるので、ステップＳ６２でエラー処理を行なう。ステップＳ６０でタイマＴ２の６秒の計時が終了していなければ、ステップＳ５４にループする。
【００４３】
ステップＳ５４ＭＰＳ信号を受信した場合にはステップＳ６４でマルチページ受信の了解を示すＭＣＦ信号を送信する。
【００４４】
ステップＳ５６でＥＯＰ信号を受信した場合にはステップＳ６６で手順終了の了解を示すＭＣＦ信号を送信し、ステップＳ６８でＤＣＮ信号を送信し、呼を切断する。
【００４５】
ステップＳ５８でＥＯＭ信号を受信した場合には、図６のステップＳ７０に進み、マルチページの受信処理を行なう。まず、ステップＳ７０ではＭＣＦ信号を送信し、ステップＳ７２において６秒待ち、ステップＳ７４で再度初期識別期間を設定すべくタイマＴ１に３５秒をセットし、ステップＳ７６では前手順でセットされたカウンタＤＩＳＣＮＴの計数値が２以上か否かを判断する。
【００４６】
ステップＳ７６でカウンタＤＩＳＣＮＴの計数値が２以上ならばステップＳ８０に進み、ＤＩＳ信号のＦＩＦを４バイトとして勧告Ｖ．２１のＮＳＦ／ＣＳＩ／ＤＩＳ信号の送信を行なう。また、カウンタＤＩＳＣＮＴの計数値が２未満ならばステップＳ７８に進み、ＤＩＳ信号のＦＩＦを１０バイトとして勧告Ｖ．２１のＮＳＦ／ＣＳＩ／ＤＩＳ信号の送信を行なう。
【００４７】
ステップＳ８２ではタイマＴ４に３秒をセットし、ステップＳ８４ではＮＳＳ／ＴＳＩ／ＤＣＳ信号を検出し、ＮＳＳ／ＴＳＩ／ＤＣＳ信号を検出した場合にはステップＳ４６に戻り、続くページの受信を行ない、受信できなければステップＳ８６に移行する。
【００４８】
ステップＳ８６（図７）では、タイマＴ４のタイムオーバーが判定され、タイムオーバーしていなければステップＳ８４に戻り引き続きＮＳＳ／ＴＳＩ／ＤＣＳ信号を待ち、一方、タイムオーバーの場合にはステップＳ８８に進む。
【００４９】
ステップＳ８８では、タイマＴ１（３５秒）のタイムオーバー（ページ間における初期識別期間）を判定する。有効応答信号を受信できずにタイマＴ１がタイムオーバーしてしまった場合には、ステップＳ９０でエラー処理を行ない、タイマＴ１がタイムオーバーしていなければステップＳ７６（図６）に戻って上記の動作を繰り返す。
【００５０】
以上のように、本実施形態によれば、ＦＩＦの長さがＡ（たとえば１０バイト）であるＤＩＳ信号を含む初期識別信号を送信し、相手からの有効応答信号を受信できないことが所定回数Ｃ（たとえば２回）連続したとき、ＦＩＦの長さが所定バイト数Ｂ（たとえば４バイト）であるＤＩＳ信号を含む初期識別信号を送信するようにしているため、相手装置がＢ（４）バイトのＦＩＦを前提として構成された旧来のファクシミリ装置であっても通信不能となることがなく、多少、通信時間は増大するが確実に初期識別を行なえ、画像通信に失敗することがなくなる。
【００５１】
また、最初にサイズが大きいＦＩＦを用いたＤＩＳ信号を用い、それで成功すればその手順が有効となるため、ＦＩＦの拡張に対応した相手装置であれば呼接続のチャンスを逃すことなくＦＩＦの拡張部分を利用して高機能な画像通信を行なうことができる。
【００５２】
また、上記実施形態では、図５のステップＳ５８でＥＯＭ信号を受信した場合、前手順でセットされたカウンタＤＩＳＣＮＴの計数値を用いてＤＩＳ信号のＦＩＦの長さを決定しているため、中間手順においては時間を無駄にすることなく、互換性のあるＤＩＳ信号を用いて確実に中間手順を実行することができる。
【００５３】
以上では、ＤＩＳ信号のＦＩＦの長さを制御する構成を示したが、同様の技術により他の手順信号のＦＩＦを制御することができるのはいうまでもない。また、以上では、読取回路や記録回路を有するファクシミリ装置を例示したが、ファクシミリ通信機能を有するデジタル複写機、ＦＡＸ  モデム、あるいは  ＦＡＸ  モデムとコンピュータやワードプロセッサ、プリンタなどの組合せから成るファクシミリシステムにおいても同様の構成を実施できるのはいうまでもない。
【００５４】
【発明の効果】
以上の説明から明らかなように、本発明によれば、所定の通信フェーズにおいて、初期識別信号に対する相手局の応答状態に応じてファクシミリ情報フィールドのバイト数を変更した初期識別信号を相手装置に送信する制御手段を設けた構成を採用しているため、相手局が前提とする初期識別信号のＦＩＦのサイズにかかわらず確実に通信手順および画像通信を行なえる優れたファクシミリ装置を提供することができる。
【図面の簡単な説明】
【図１】本発明を採用したファクシミリ装置の構成を示したブロック図である。
【図２】図１の装置の通信制御手順を示したフローチャート図である。
【図３】図１の装置の通信制御手順を示したフローチャート図である。
【図４】図１の装置の通信制御手順を示したフローチャート図である。
【図５】図１の装置の通信制御手順を示したフローチャート図である。
【図６】図１の装置の通信制御手順を示したフローチャート図である。
【図７】図１の装置の通信制御手順を示したフローチャート図である。
【符号の説明】
２  ＮＣＵ
４  電話機
６  ハイブリット回路
８  変復調機
１０  ＡＮＳａｍ送出回路
１２  加算回路
１４  読取回路
１６  記録回路
１８  メモリ回路
２０  制御回路
【図１】
0003581543.tif 000002
【図２】
0003581543.tif 000003
【図３】
0003581543.tif 000004
【図４】
0003581543.tif 000005
【図５】
0003581543.tif 000006
【図６】
0003581543.tif 000007
【図７】
0003581543.tif 000008